(57)【要約】【課題】搬送する基板の幅寸法に応じたコンベア幅の調整作業等の段取り作業を迅速に行うことができるようにする。【解決手段】本発明の印刷機１０は、複数枚の基板Ｗを横方向に順次搬送するための一対のコンベア４０をＸ軸方向に備えた基板テーブル３０と、この基板テーブル３０をＹ軸方向に移動可能に支持するＹ方向ガイドレール３５と、このＹ方向ガイドレール３５に支持された基板テーブル３０を駆動する基板テーブル駆動装置と、基板テーブル３０のＹ軸方向前側に設けられた操作ハンドル４７を手動操作することにより両コンベア４０間のコンベア幅を変更可能なコンベア幅調整機構とを備え、基板テーブル駆動装置は、コンベア４０によって次に搬送すべき基板Ｗの幅寸法が現在のコンベア幅により搬送可能な基板Ｗの幅寸法と異なるときに、基板テーブル３０をハンドル操作位置に移動させる。【選択図】図５
2008260212.tif 000002
【特許請求の範囲】
【請求項１】
複数枚の基板を横方向に順次搬送するための一対のコンベアを左右方向に備えた基板テーブルと、
この基板テーブルを前後方向に移動可能に支持する基板テーブル案内機構と、
この基板テーブル案内機構に支持された前記基板テーブルを駆動する基板テーブル駆動装置と、
前記基板テーブルの前後方向前側となる作業者側に設けられた操作ハンドルを手動操作することにより前記両コンベア間のコンベア幅を変更可能なコンベア幅調整機構とを備え、
前記基板テーブル駆動装置は、
前記コンベアによって次に搬送すべき基板の幅寸法が現在のコンベア幅により搬送可能な基板の幅寸法と異なるときに出力される幅寸法変更信号を受けたときに、前記基板テーブルを基板搬送時における基板搬送位置よりも前後方向後側に設定されたハンドル操作位置に移動させることを特徴とする基板搬送装置。
【請求項２】
複数枚の基板を横方向に順次搬送するための一対のコンベアを左右方向に備えた基板テーブルと、
この基板テーブルを上下方向に移動可能な基板テーブル昇降装置と、
前記基板テーブルに設けられ、その作業者側に設けられた操作ハンドルを操作することにより前記両コンベア間のコンベア幅を変更可能なコンベア幅調整機構とを備え、
前記基板テーブル昇降装置は、
前記コンベアによって次に搬送すべき基板の幅寸法が現在のコンベア幅により搬送可能な基板の幅寸法と異なるときに出力される幅寸法変更信号を受けたときに、前記基板テーブルを基板搬送時における基板搬送位置よりも上方に位置するように設定されたハンドル操作位置に移動させることを特徴とする基板搬送装置。
【請求項３】
請求項１に記載の基板搬送装置において、この基板搬送装置は前記基板テーブルを上下方向に移動可能な基板テーブル昇降装置を備え、
前記コンベアによって次に搬送すべき基板の幅寸法が現在のコンベア幅により搬送可能な基板の幅寸法と異なるときに出力される幅寸法変更信号を受けたときに、前記基板テーブル駆動装置と前記基板テーブル昇降装置は、前記基板テーブルを基板搬送時における基板搬送位置よりも前後方向後側且つ上方に位置するように設定されたハンドル操作位置に移動させることを特徴とする基板搬送装置。
【請求項４】
前記一対のコンベアのうちの一方は前記基板テーブルに固定されると共に他方にはボールナットが設けられ、前記基板テーブルには前記ボールナットと螺合するボールねじ軸が前記コンベアによる搬送方向と直交する方向に延びて回転自在に設けられ、前記操作ハンドルは、前記ボールねじ軸の作業者側の端部に設けられ、
前記ボールねじ軸には、同ボールねじ軸の回動を許容する状態と、回動を規制する状態とに切替可能な回動規制機構が設けられている請求項１ないし請求項３のいずれか一項に記載の基板搬送装置。
【請求項５】
前記幅寸法変更信号に基づいて前記コンベア幅の変更操作を促す情報を表示させる表示装置を備えた請求項１ないし請求項４のいずれか一項に記載の基板搬送装置。
【請求項６】
複数の供給孔を有し、前記基板搬送位置にある前記基板テーブルの上方に設けられたマスクと、請求項１ないし請求項５のいずれか一項に記載の前記基板搬送装置と、この基板搬送装置に前記基板テーブルを上下方向に移動する基板テーブル昇降装置と、この基板テーブル昇降装置により前記基板テーブル上に保持する前記基板を上昇させることで、前記基板をマスクシートに重装すると共に、この重装した状態で前記基板に対して前記複数の供給孔を通じてペーストを印刷するスキージヘッドとを備えた印刷装置。
【請求項７】
前記ハンドル操作位置は、前記基板をマスクシートに重装した状態において、前記マスクと干渉しない範囲内に設定されている請求項６に記載の印刷装置。
【請求項８】
前記基板搬送位置にある前記基板テーブルの前方側に近接して配置され、前記マスク下面に付着した汚れを除去するクリーニング装置を備えた請求項６又は請求項７に記載の印刷装置。
【発明の詳細な説明】
【技術分野】
【０００１】
本発明は、操作ハンドルを手動操作することによりコンベア幅を変更可能な基板搬送装置及び印刷装置に関する。
【背景技術】
【０００２】
例えば、プリント基板に半田ペーストを印刷する印刷装置では、幅寸法が異なる各種の基板に対応すべく、基板を搬送する一対のコンベアのコンベア幅を調整できるように構成している。この種のコンベア幅調整機構を備えた印刷装置として下記特許文献１に記載の印刷装置が知られている。この印刷装置は基板テーブルを備え、この基板テーブルの上端部にはコンベア幅を変更可能なコンベア幅調整機構が設けられている。このコンベア幅調整機構は、基板を横方向に搬送する一対のコンベアを有し、両コンベアのうち作業者側のコンベアは固定され、このコンベアより奥側のコンベアにはボールナットが固定されている。このボールナットに螺合するボールねじ軸の作業者側の端部には、操作ハンドルが設けられている。幅寸法が異なる基板の印刷に切り替える際には、作業者は操作ハンドルを操作してボールねじ軸を軸回転させることにより、基板幅に応じてコンベア幅を調整する等の段取り作業を行う。
【特許文献１】特開２０００−３２６４８３公報
【発明の開示】
【発明が解決しようとする課題】
【０００３】
しかしながら、基板テーブルの作業者側には、マスク下面を清掃するためのクリーニング装置が基板テーブルと近接して配置されていたり、あるいは装置全体を覆うケーシングが基板テーブルの近くに存在していたりすることがある。このような構造では、基板テーブルとクリーニング装置との間、あるいは基板テーブルとケーシング内壁との間には僅かな隙間しかないため、操作ハンドルの操作がしずらい。そのため、コンベア幅を調整する際には、作業者が基板テーブルをクリーニング装置あるいはケーシング内壁から離れる方向に移動させる必要があり、段取り作業を迅速に行うことができないという問題があった。
【０００４】
本発明は上記のような事情に基づいて完成されたものであって、搬送する基板の幅寸法に応じたコンベア幅の調整作業等の段取り作業を迅速に行うことができるようにすることを目的とする。
【課題を解決するための手段】
【０００５】
本発明の基板搬送装置は、複数枚の基板を横方向に順次搬送するための一対のコンベアを左右方向に備えた基板テーブルと、この基板テーブルを前後方向に移動可能に支持する基板テーブル案内機構と、この基板テーブル案内機構に支持された基板テーブルを駆動する基板テーブル駆動装置と、基板テーブルの前後方向前側となる作業者側に設けられた操作ハンドルを手動操作することにより両コンベア間のコンベア幅を変更可能なコンベア幅調整機構とを備え、基板テーブル駆動装置は、コンベアによって次に搬送すべき基板の幅寸法が現在のコンベア幅により搬送可能な基板の幅寸法と異なるときに出力される幅寸法変更信号を受けたときに、基板テーブルを基板搬送時における基板搬送位置よりも前後方向後側に設定されたハンドル操作位置に移動させる構成としたところに特徴を有する。このような構成によると、コンベア幅の調整作業が必要となるときに、幅寸法変更信号を受けることで基板テーブルをハンドル操作位置に移動させることができる。したがって、迅速にコンベア幅を調整することができる。
【０００６】
また、本発明の基板搬送装置は、複数枚の基板を横方向に順次搬送するための一対のコンベアを左右方向に備えた基板テーブルと、この基板テーブルを上下方向に移動可能な基板テーブル昇降装置と、基板テーブルに設けられ、その作業者側に設けられた操作ハンドルを操作することにより両コンベア間のコンベア幅を変更可能なコンベア幅調整機構とを備え、基板テーブル昇降装置は、コンベアによって次に搬送すべき基板の幅寸法が現在のコンベア幅により搬送可能な基板の幅寸法と異なるときに出力される幅寸法変更信号を受けたときに、基板テーブルを基板搬送時における基板搬送位置よりも上方に位置するように設定されたハンドル操作位置に移動させる構成としてもよい。
【０００７】
また、本発明の基板搬送装置は、上記の基板搬送装置において、この基板搬送装置は基板テーブルを上下方向に移動可能な基板テーブル昇降装置を備え、コンベアによって次に搬送すべき基板の幅寸法が現在のコンベア幅により搬送可能な基板の幅寸法と異なるときに出力される幅寸法変更信号を受けたときに、基板テーブル駆動装置と基板テーブル昇降装置は、基板テーブルを基板搬送時における基板搬送位置よりも前後方向後側且つ上方に位置するように設定されたハンドル操作位置に移動させる構成としてもよい。
【０００８】
上記した基板搬送装置の実施態様として、以下の構成が好ましい。
一対のコンベアのうちの一方は基板テーブルに固定されると共に他方にはボールナットが設けられ、基板テーブルにはボールナットと螺合するボールねじ軸がコンベアによる搬送方向と直交する方向に延びて回転自在に設けられ、操作ハンドルは、ボールねじ軸の作業者側の端部に設けられ、ボールねじ軸には、同ボールねじ軸の回動を許容する状態と、回動を規制する状態とに切替可能な回動規制機構が設けられている構成としてもよい。このような構成によると、操作ハンドルを操作してボールねじ軸を軸回転させることにより、コンベア幅を調整することができる。また、回動規制機構により搬送装置の動作中に振動等でボールねじ軸が回転することを防止することができる。よって、コンベア幅を保持し、基板の脱落等を防ぐことができる。
【０００９】
幅寸法変更信号に基づいてコンベア幅の変更操作を促す情報を表示させる表示装置を備えた構成としてもよい。このような構成によると、作業者が表示装置に表示された情報を見ることによりコンベア幅の変更操作を行うことができる。
【００１０】
本発明は、複数の供給孔を有し、基板搬送位置にある基板テーブルの上方に設けられたマスクと、上記の基板搬送装置と、この基板搬送装置に基板テーブルを上下方向に移動する基板テーブル昇降装置と、この基板テーブル昇降装置により基板テーブル上に保持する基板を上昇させることで、基板をマスクシートに重装すると共に、この重装した状態で基板に対して複数の供給孔を通じてペーストを印刷するスキージヘッドとを備えた印刷装置に適用してもよい。
【００１１】
上記した印刷装置の実施態様として、以下の構成が好ましい。
ハンドル操作位置は、基板をマスクシートに重装した状態において、マスクと干渉しない範囲内に設定されている構成としてもよい。このような構成によると、基板テーブルをマスク寄りに設定されたハンドル操作位置に移動させることができるから、マスクの下方深くまで手を入れる必要がなくなり、コンベア幅を調整しやすくなる。
【００１２】
基板搬送位置にある基板テーブルの前方側に近接して配置され、マスク下面に付着した汚れを除去するクリーニング装置を備えた構成としてもよい。このような配置によると、第１の位置にある基板テーブルとクリーニング装置との間に僅かな隙間しかなく、操作ハンドルの操作がしずらくなるものの、本発明によると、基板テーブルをハンドル操作位置に移動させることができるから、コンベア幅の調整が容易である。
【発明の効果】
【００１３】
本発明によると、コンベア幅の調整作業等の段取り作業を迅速に行うことができる。
【発明を実施するための最良の形態】
【００１４】
＜実施形態＞
本発明の実施形態について図面を参照しながら説明する。
＜スクリーン印刷機の全体構成＞
本実施形態における印刷機１０は、図１に示すように、基台１１上に図１中紙面を貫通する方向（Ｙ軸方向）に移動可能に設けた基板テーブル３０を備える。基板テーブル３０上にはメインコンベア４０が図面上左右方向（Ｘ軸方向）に延びるように一体的に設けられている。図１及び図２はそれぞれ、基板搬送位置にある基板テーブル３０をＹ軸方向及びＺ軸方向（Ｘ軸方向及びＹ軸方向の双方に対して直交する方向）から見た状態を示している。基板搬入時には、Ｙ軸方向及びＺ軸方向のそれぞれの基板搬送位置にある基板テーブル３０が、Ｘ軸方向における中央部から右方に移動し（図２における図面右側２点波線部）、基板Ｗを受け渡し可能な間隔（例えば５ｍｍ程度）で上流側の不図示のコンベアと連結し、この不図示のコンベアとメインコンベア４０が稼働することで基板Ｗを受け取り可能である。これとは逆に、基板搬出時には、Ｙ軸方向及びＺ軸方向のそれぞれの基板搬送位置にある基板テーブル３０がＸ軸方向における中央部から左方に移動し（図２における図面左側２点波線部）、基板Ｗを受け渡し可能な間隔（例えば５ｍｍ程度）で下流側の不図示のコンベアと連結し、この不図示のコンベアとメインコンベア４０が稼働することで基板Ｗを搬出可能である。また、基板Ｗをクランプするための基板クランプユニット５０（図２参照）と、後述するマスク７１の下面を清掃するためのクリーナユニット（本発明の「クリーニング装置」の一例）６０（図２及び図４参照）とを備えている。
【００１５】
＜マスククランプユニットの構成＞
基台１１に連結されるフレーム１２の左右上方には、それぞれ前後方向に延びるフレーム部材１６（図１参照）が設けられ、このフレーム部材１６にマスククランプユニット７０が設けられている。このマスククランプユニット７０は、クリーム半田印刷用のマスク７１をマスク支持部７２により支持し、そのマスク支持部７２とマスククランプ７３との間でマスク７１を構成する枠部材を挟み付けて保持する構成である。マスク支持部７２は、マスク７１の四隅と対応する位置に設けられている。マスククランプ７３は、各マスク支持部７２と対応してその上方に設けられている。マスククランプ７３の昇降機構としてはエアシリンダが用いられ、このエアシリンダにエアを供給するエア供給路の途中にはクランプ昇降切替弁が設けられている。クランプ昇降切替弁の開閉操作を行う操作スイッチがＯＮにされてクランプ昇降切替弁が開放状態になると、エアシリンダにエアが供給され、ピストンロッドに連結されたマスククランプ７３がマスク７１を構成する枠部材をマスク支持部７２に押圧保持可能である。これにより、マスク７１は、基板テーブル３０の上方において水平配置で張り渡した状態に保持される。
【００１６】
また、マスククランプユニット７０は、マスク７１の有無を検知する位置センサを備えている。マスククランプ７３には位置識別部が設けられ、この位置識別部はマスククランプ７３がマスク７１をクランプした状態では所定高さ範囲内に位置することで、図示しない位置センサによって読み取られ、位置センサからマスククランプ制御部１７０（図６参照）へ検出信号が送出される。一方、位置識別部が所定高さより上方位置、あるいは下方位置のいずれかにあれば位置センサによる読み取りができず、従ってマスクリリース状態（マスク７１が無い状態）と検知される。
【００１７】
＜スキージヘッド周りの構成＞
前記各フレーム部材１６には、図１に示すように、Ｙ軸方向に延びる２本のＹ方向ガイドレール８４が並行して設けられ、それらのＹ方向ガイドレール８４，８４に支持されてスキージヘッド支持フレーム８３がＹ軸方向に移動可能に設けられている。このスキージヘッド支持フレーム８３には、マスク７１の上方に位置するようにしてスキージヘッド８０が設けられている。２つのフレーム部材１６のうち図１の左側に位置するフレーム部材１６には、Ｙ方向ガイドレール８４に沿うようにしてボールねじ軸８５が回転自在に設けられている。ボールねじ軸８５の端部には、同ボールねじ軸８５を回転駆動するＹ軸モータ（図示せず）が固定されている。一方、スキージヘッド支持フレーム８３には、上記ボールねじ軸８５と螺合するボールナット８６が固定されている。これにより、スキージヘッド支持フレーム８３は、Ｙ軸モータでボールねじ軸８５を駆動することによってＹ方向ガイドレール８４上をＹ軸方向における所望の位置に移動させることができる。尚、Ｙ軸モータはサーボ形式のモータである。
【００１８】
スキージヘッド８０は第１及び第２のスキージ８１と、各スキージ８１を昇降可能とする第１及び第２のエアシリンダ８７とを備えている。各エアシリンダ８７を駆動するための空気圧供給装置からのエア供給路の途中には、図示しない第１及び第２の昇降切替弁が設けられており、後述するスキージユニット制御部１３０からの信号に応じて第１又は第２のスキージ８１が選択的に下降する。
【００１９】
尚、詳細な説明は省略するが、スキージヘッド８０は、スキージヘッド支持フレーム８３に設けたボールねじ機構８８及びこのボールねじ機構８８を回転駆動するモータ８９を備えたスキージヘッド昇降機構８２によって上下に駆動され、スキージヘッド昇降機構８２によってスキージヘッド８０が下降されると、スキージ８１がマスク７１を介して基板Ｗに押しつけられて印刷荷重が付与される。また、スキージヘッド昇降機構８２の内部には、マスク７１上面に押圧されたスキージ８１の荷重を検知する荷重センサが組み込まれている。荷重センサによって検知された検知荷重は、スキージユニット制御部１３０（図６参照）に送出され、検知荷重が目標印刷荷重の範囲内となるようにサーボ形式のモータ８９に制御信号を送出する。
【００２０】
＜クリーナユニットの構成＞
ここで、前記クリーナユニット６０の構成について説明する。クリーナユニット６０は、基台１１上における基板テーブル３０の作業者側（Ｙ軸方向前側）に設けられており、基台１１上においてＹ軸方向に沿って延びる４本のＹ方向ガイドレール３４によりＹ軸方向に沿って移動可能に支持されている。また、クリーナユニット６０は、ロール状のコットン紙６１を供給する供給ロール６２と、そのコットン紙６１を巻き取る巻取ロール６３と、コットン紙６１の搬送経路の途中に配された複数の案内ロール６４とを備えている。クリーナユニット６０の上部には、コットン紙６１をマスク７１下面に密着させるクリーナヘッド（図示せず）がエアシリンダ装置（図示せず）により昇降可能に設けられている。また、エアシリンダ装置にエアを供給するエア供給路の途中には、クリーナヘッド昇降切替弁が設けられており、所要時期に同切替弁が動作してクリーナヘッドが上昇する。
【００２１】
また、クリーナユニット６０内には、図示はしないがポンプモータを駆動してコットン紙６１に洗浄液を供給する洗浄液供給機構が設けられると共に、コットン紙６１を介してマスク７１下面に押し当てられる吸引ノズルが設けられ、この吸引ノズルに連通させた吸引チャンバ６５を通してマスク７１に付着した汚れを吸引することができる。吸引チャンバ６５は、可撓性を有するバキュームホースの一端側に接続されるホース取付部６５ａを有し、このホース取付部６５ａは、Ｘ軸方向に延びる回動軸を中心として軸回転可能に設けられている。一方、Ｙ軸方向に延び基台１１の後方となるバキュームホースの他端側は、負圧を供給するバキュームモータに連なるバキューム弁と接続されている。これにより、バキューム弁が開放状態になると吸引ノズルに負圧が供給されて吸引を行うと共に、バキューム弁が閉止状態となって大気圧に開放されると吸引ノズルによる吸引が停止される。
【００２２】
クリーナユニット６０における基板テーブル３０側の側面下部には、連結用ソレノイド６６が配設されている。連結用ソレノイド６６は上下両方向に突没するロッドを備え、図４に示す基板テーブル３０がＹ軸方向における基板搬送位置にある状態では、ロッドの下端部が基台１１上に設けられる位置決め孔（図示せず）に嵌合しており、これによってクリーナユニット６０が待機位置に保持される。一方、基板テーブル３０には、ロッドが嵌入する連結孔（図示せず）が設けられている。このため、クリーナユニット６０は、連結用ソレノイド６６のロッドの上端部が基板テーブル３０の連結孔に嵌合することで基板テーブル３０と連結されると共に、ロッドの下端部が上方に移動することで基台１１に対する係合が解除される。これにより、クリーナユニット６０は、基板テーブル３０の移動に伴ってＹ方向ガイドレール３４上をＹ軸方向後側へ移動する。そして、所定位置で停止した後、基板テーブル３０と連結状態のままクリーナヘッドを上昇させてコットン紙６１をマスク７１下面に密着させ、基板テーブル３０の移動と共にＹ軸方向後側に移動し、さらには後側から前側に移動することによってマスク７１下面を清掃可能である。
【００２３】
＜基板搬送装置の構成＞
基板搬送装置を構成する前記基板テーブル３０は、Ｙ軸テーブル３１、Ｘ軸テーブル３２、Ｒ軸テーブル３３、昇降テーブル３８等を段積みしてなる構成である。Ｙ軸テーブル３１は、基台１１上でクリーナユニット６０と同じＹ方向ガイドレール３４によってＹ軸方向にスライド自在に取り付けられている。Ｙ軸テーブル３１と基台１１との間には、Ｙ軸モータの動力によって駆動されるＹ方向ボールねじ機構（図示せず）が設けられている。これにより、基板テーブル３０のＹ軸テーブル３１は、Ｙ方向ボールねじ機構が駆動することにより基台１１に対して、前側すなわち作業者側のＹ軸方向における基板搬送位置（図２及び図４における基板テーブル３０の位置）とＹ軸方向後端の位置との間で往復移動可能である。尚、Ｙ軸方向における基板搬送位置にある基板テーブル３０と待機位置にあるクリーナユニット６０とは互いに近接した配置とされている（図４参照）。
【００２４】
Ｙ軸テーブル３１上には、Ｘ軸方向に沿って延びる形態をなす一対のＸ方向ガイドレール３５が設けられ、この両Ｘ方向ガイドレール３５上にＸ軸テーブル３２がＸ軸方向にスライド自在に取り付けられている。Ｘ軸テーブル３２とＹ軸テーブル３１との間には、Ｘ軸モータの動力によって駆動されるＸ方向ボールねじ機構（図示せず）が設けられている。これにより、Ｘ軸テーブル３１は、Ｘ方向ボールねじ機構が駆動することによってＹ軸テーブル３１に対してＸ軸方向における所望の位置に移動可能である。
【００２５】
Ｘ軸テーブル３２上には、回転ユニット３６を介してＲ軸テーブル３３が設けられている。回転ユニット３６はＲ軸モータを備え、このモータの動力によってＺ軸方向に延びる回動軸を中心として回転自在に設けられている。これにより、Ｒ軸テーブル３３は、回転ユニット３６が駆動することによってＸ軸テーブル３２に対してＺ軸回りにおける所望の角度に回動可能である。
【００２６】
Ｒ軸テーブル３３の四隅には、ガイドシャフト３７がＺ軸方向に沿ってスライド自在に取り付けられ、このガイドシャフト３７の上端部に昇降テーブル３８が固定されている。また、Ｒ軸テーブル３３と昇降テーブル３８との間には、Ｚ軸モータの動力によって駆動されるボールねじ機構３９が設けられている。これにより、昇降テーブル３８は、ボールねじ機構３９が駆動することによってＲ軸テーブル３３に対して、Ｚ軸方向における所望の位置に移動可能である。尚、Ｘ軸モータ、Ｙ軸モータ、Ｚ軸モータ、及びＲ軸モータは共に、サーボ形式のモータである。上述したように、Ｙ軸テーブル３１、Ｘ軸テーブル３２、Ｒ軸テーブル３３、昇降テーブル３８を駆動させる機構により、本発明の「基板テーブル案内機構」及び「基板テーブル駆動装置」が構成されている。
【００２７】
基板テーブル３０の昇降テーブル３８上には、Ｘ軸方向に沿って一対のメインコンベア４０が設けられている。メインコンベア４０は、昇降テーブル３８の昇降動作に伴って基板Ｗを搬送可能なＺ軸方向における基板搬送位置とこの基板搬送位置より上方の印刷位置との間で移動可能である。
【００２８】
メインコンベア４０は、昇降テーブル３８に取り付けられる前側の固定側コンベア支持ブラケット４０ａと、後側の可動側コンベア支持ブラケット４０ｂと、両コンベア支持ブラケット４０ａ，４０ｂにそれぞれ取り付けられる前後のコンベア４０ｃ，４０ｃとにより構成される。基板クランプユニット５０は、図４に示すように、メインコンベア４０の一対の前後のコンベア４０ｃ，４０ｃのそれぞれ外側においてＸ軸方向に沿って配置された一対の帯板状のクランプ片５１を備えている。固定側コンベア支持ブラケット４０ａに取り付けられるＹ軸方向前側のクランプ片５１は、可動側コンベア支持ブラケット４０ｂに取り付けられる後側のクランプ片５１に対して不図示のシリンダ装置によってＹ軸方向にスライド自在に取り付けられている。これにより、両クランプ片５１は、メインコンベア４０上に搬送された基板Ｗを、基板Ｗの上面と両クランプ片５１の上面とがＺ軸方向で同一高さとする状態で、Ｙ軸方向両側から保持可能である。また、両クランプ片５１の上面には、複数の吸引孔５２が設けられている。各吸引孔５２は、負圧を供給可能な空気圧供給装置（図示せず）に接続されている。このため、両クランプ片５１がマスク７１下面に重装された状態で各吸引孔５２に負圧が供給されることにより、マスク７１がクランプ片５１の上面に吸着保持されるようになっている。
【００２９】
ボールねじ機構３９により昇降テーブル３８を上昇させることにより、メインコンベア４０、両クランプ片５１及び両クランプ片５１で保持されている基板Ｗを上昇させることにより、基板Ｗをマスク７１下面に重装することができる。昇降テーブル３８には、印刷動作中マスク７１の上方のスキージ８１により負荷される荷重に対抗して基板Ｗを支えるバックアップ装置が設けられている。バックアップ装置は、昇降テーブル３８に対してＺ軸方向に沿ってスライド自在に取り付けられたスライド支柱４３と、このスライド支柱４３の上端部に固定された載置テーブル４１と、昇降テーブル３８と載置テーブル４１との間に設けた昇降装置とを備えている。この昇降装置はバックアップ装置昇降モータを備え、このモータの駆動力により載置テーブル４１をＺ軸方向における所望の位置に昇降可能である。載置テーブル４１上には、バックアッププレート上に複数のバックアップピンが上向きにセットされたバックアップユニットが載置され、基板Ｗが両クランプ片５１に保持された状態で、載置テーブル４１が上昇し、このバックアップピンの上端部で基板Ｗが支持される。
【００３０】
さて、本実施形態における基板テーブル３０は、図２、図３及び図４に示すように、基板Ｗの幅寸法に応じて両コンベア４０間のコンベア幅を変更可能なコンベア幅調整機構を備えている。コンベア幅調整機構はボールねじ機構により調整可能とされ、Ｙ軸方向前側において昇降テーブル３８に固定される固定側コンベアブラケット４０ａと、Ｙ軸方向後側において、昇降テーブル３８に設けられる一対のＹ方向ガイドレール４４にＹ軸方向に可動に取り付けられる可動側コンベア支持ブラケット４０ｂとには、それぞれコンベア４０ｃが固定されている。すなわち、Ｙ軸方向前側のコンベア４０ｃ（以下「固定コンベア」という。）は昇降テーブル３８に対し連結固定され、Ｙ軸方向後側のコンベア４０ｃ（以下「可動コンベア」という。）は昇降テーブル３８に対し移動可能に連結されている。コンベア幅調整機構は、一対の前記Ｙ方向ガイドレール４４と、各Ｙ方向ガイドレール４４の側方においてＹ軸方向に延びて回動可能に設けられた一対のボールねじ軸４５と、可動側コンベア支持ブラケット４０ｂと一体に設けられボールねじ軸４５と螺合するボールナット４６とを備えている。一方のボールねじ軸４５の作業者側（Ｙ軸方向前側）の端部には、ボールねじ軸４５を手動で回動操作する操作ハンドル４７が設けられている。これにより、可動コンベア４０ｃは、作業者が操作ハンドル４７を手動操作することによって固定コンベア４０ｃに対して接近及び離間可能である。尚、ボールねじ軸４５において操作ハンドル４７の近傍には、ボールねじ軸４５の回動を許容する状態と、回動を規制する状態とに切替可能な回動規制機構４８が設けられている。したがって、印刷動作中に振動等によって可動コンベア４０ｃが移動しコンベア幅が変動して基板Ｗが脱落する等の不具合を未然に防ぐことができる。また、可動コンベア４０ｃのＸ軸方向略中央には、コンベア幅を算出するためのフィデューシャルマーク４２が付されている。
【００３１】
尚、本実施形態における印刷機１０は、図４に示すように、基板Ｗのフィデューシャルマークや可動コンベア４０ｃのフィデューシャルマーク４２等を撮像するための基板撮像カメラ１８と、基板Ｗの印刷後の状態を撮像して検査するための検査カメラ１９とを備えている。両カメラ１８，１９は共に、両フレーム部材１６間に梁状に設けた取付部材１７に固定されている（両カメラ１８，１９は図６における「フレーム固定カメラ」に相当する。）。基板撮像カメラ１８は、Ｙ軸方向の基板搬送位置にある基板テーブル３０の可動コンベア４０ｃのフィデューシャルマーク４２に対してＹ軸方向後側に配置してある。また、昇降テーブル３８上のＹ軸方向前側には、マスク７１下面のフィデューシャルマーク（図示せず）を撮像してマスク７１の位置や種類等を識別するための基板テーブルカメラ４９が設けられている。
【００３２】
＜印刷機の電気的構成＞
続いて、印刷機１０の演算処理部１００を中心とした電気的構成について図６を参照して説明する。演算処理部１００には、表示ユニット１１０、印刷プログラム記憶手段１２０、スキージユニット制御部１３０、クリーナユニット制御部１４０、基板テーブル制御部１５０、撮像装置制御部１６０、マスククランプ制御部１７０、及び入出力制御部１８０が接続されている。尚、表示ユニット１１０は本発明の「表示装置」に相当する。
【００３３】
印刷プログラム記憶手段１２０には、印刷機１０の印刷動作を行うための印刷プログラムが記憶されている。この印刷プログラムには、基板Ｗの幅寸法、この幅寸法に応じたコンベア幅、スキージ８１をマスク７１上面に押し当てる際の印刷荷重、及びスキージ８１をマスク７１上面に沿って移動させる移動速度等のデータが含まれている。
【００３４】
基板テーブル制御部１５０は、Ｘ軸モータ、Ｙ軸モータ、Ｚ軸モータ、及びＲ軸モータにそれぞれ設けられたエンコーダから信号を受けて、基板テーブル３０のＸ軸方向、Ｙ軸方向、Ｚ軸方向、及びＺ軸回りにおける移動量を把握することが可能である。また、撮像装置制御部１６０は、基板撮像カメラ１８によって撮像されたメインコンベア４０のフィデューシャルマーク４２の撮像画像に基づいて撮像中心に対するフィデューシャルマーク４２のＹ軸方向のずれ量を把握することができる。
【００３５】
＜印刷機の作用説明＞
本実施形態は以上の構成であり、次にその作用を図７ないし図９のフローチャートを参照しながら説明する。
現行の基板群Ｗに対する印刷処理が完了し、次に印刷すべき基板群Ｗに対する印刷処理を開始するときに、次に印刷すべき基板群Ｗの印刷プログラムの取り込み指示がなされると（Ｓ１０１）、次に印刷すべき基板群Ｗの幅寸法やコンベア幅Ｓ３等のデータを含んだ印刷プログラムが取得される。尚、次に印刷すべき基板群Ｗのコンベア幅Ｓ３のデータが印刷プログラム中に含まれていない場合には、予め基板Ｗの幅寸法とこの幅寸法に応じたコンベア幅とを関連付けて記憶させた対応表を設けておき、この対応表を参照することにより次に印刷すべき基板群Ｗの幅寸法に基づいてコンベア幅Ｓ３を取得可能である。
【００３６】
次に、現在のコンベア幅Ｓ１のデータがあるか否かを確認し、現在のコンベア幅Ｓ１のデータがなければ（Ｓ１０２でＮｏ）、コンベア幅検出プログラムが実行される（Ｓ１０３）。まず、Ｚ軸方向及びＹ軸方向の両方向で基板搬送位置にある基板テーブル３０をＹ軸方向後側に移動、あるいは基板テーブル３０がハンドル操作位置にある場合は、基板テーブル３０を基板撮像カメラ１８との干渉を避けられる位置まで、一旦Ｚ軸方向に下降させた後Ｙ軸方向後側に移動させる（Ｓ２０１）。次に、基板撮像カメラ１８が可動コンベア４０ｃのフィデューシャルマーク４２を撮像すると（Ｓ２０２）、撮像画像信号が撮像装置制御部１６０へ送出され、基板撮像カメラ１８の撮像中心に対するフィデューシャルマーク４２のＹ軸方向のずれ量ΔＹ１が算出される。これと共に、基板テーブル３０のＹ軸方向における移動量Ｙ２がＹ軸モータのエンコーダにより取得される。ここで、基板撮像カメラ１８の撮像中心座標Ｐ１は設計上既知であるから、この座標Ｐ１とずれ量ΔＹ１及び移動量Ｙ２とに基づいて可動コンベア４０ｃのフィデューシャルマーク４２の座標Ｐ２が算出される。さらに、固定コンベア４０ｃの座標は設計上既知であるから、可動コンベア４０ｃのフィデューシャルマーク４２の座標Ｐ２に基づいてコンベア幅Ｓ１が算出される（Ｓ２０３）。
【００３７】
次に、現在の基板テーブル３０上におけるコンベア幅（印刷プログラムに基づくコンベア幅Ｓ３か、ステップＳ２０３において求められるコンベア幅Ｓ１）データと、次に印刷すべき基板群Ｗとの印刷プログラム中における幅寸法データの比較を行い、これらの幅寸法データが異なる場合には（Ｓ１０４でＹｅｓ）、幅寸法変更信号が基板テーブル制御部１５０に送出される。基板テーブル制御部１５０は、基板搬送装置あるいは可動コンベア４０ｃが基板撮像カメラ１８の下方となる位置にある基板テーブル３０を、ハンドル操作位置に移動させると共に、非常停止スイッチを押すことを作業者に促す表示（表示０）を表示ユニット１１０に表示させる（Ｓ１０５）。基板テーブル制御部１５０は、非常停止スイッチの入力待ちを行い（Ｓ１０６のＮｏ）、非常停止スイッチの入力があったときに（Ｓ１０６でＹｅｓ）、コンベア幅調整モードに移行する。尚、幅寸法変更信号は、マスククランプユニット７０の位置センサによりマスクリリース状態と検知されたときに出力してもよい。
【００３８】
コンベア幅調整モードではまず第１に、表示ユニット１１０に現在のコンベア幅Ｓ１と目標コンベア幅Ｓ３とのずれ量ΔＳ１に基づいた操作ハンドル４７の回転方向、回転数、回転角等の操作情報（例えば「右に１８０°回転させる」といった情報）を表示して、作業者にハンドル操作を促す（Ｓ１０７）。尚、ハンドル操作位置は、図５に示すように、基板搬送位置（図４の基板テーブル３０の位置）よりＹ軸方向やや後側の位置であって、マスク７１下面の近傍において基板テーブル３０がマスク７１と干渉しない範囲内で、基板搬送位置よりＺ軸方向に上昇した位置とされる。これにより、クリーナユニット６０の後方にハンドル操作可能なスペースを確保できると共に、操作ハンドル４７のＺ軸方向位置をクリーナユニット６０の上端部（クリーナヘッド）と同等あるいはそれ以上とできるので、作業者は、操作ハンドル４７による操作を容易に行うことができる。
【００３９】
操作ハンドル４７の操作が完了し、稼働スイッチの入力があると（Ｓ１０８でＹｅｓ）、コンベア幅検出プログラム（Ｓ２０１〜Ｓ２０３）が実行される（１０９）。そして、調整後のコンベア幅Ｓ２が取得されると、このコンベア幅Ｓ２が次に印刷すべき基板群Ｗのコンベア幅Ｓ３に対して所定範囲内にあるときには（Ｓ１１０でＹｅｓ）、基板テーブル３０を基板搬送位置へ移動させ、印刷プログラム記憶手段１２０中に記憶されている現在のコンベア幅データＳ３をコンベア幅データＳ２に置き換えると共に、搬送モードに移行する（Ｓ１１１）。一方、コンベア幅Ｓ２がコンベア幅Ｓ３に対して所定範囲内にないときには（Ｓ１１０のＮｏ）、表示ユニット１１０にエラー表示を表示した上で（Ｓ１１５）、ステップＳ１０５に移行して再度コンベア幅の調整を行う（Ｓ１０５〜Ｓ１０９）。また、エラー表示と同時にあるいはその直後に、調整後のコンベア幅Ｓ２と目標コンベア幅Ｓ３とのずれ量ΔＳ２に基づいた操作情報が表示ユニット１１０に表示される。尚、コンベア幅調整モードにおいて所定時間が経過しても稼働スイッチの入力がないときには（Ｓ１１３でＹｅｓ）、プログラムを中止する旨の警報を表示し（Ｓ１１４）、その後に本プログラムを停止させる。
【００４０】
以上のようにしてコンベア幅Ｓ２の設定が完了し、搬送モードに移行すると、次の基板群Ｗの印刷動作プログラムが実行される（Ｓ１１２）。基板テーブル３０はＹ軸方向及びＺ軸方向における基板搬送位置、且つＸ軸方向の基台１１中央部位置にある状態から、Ｘ軸テーブル３２がＸ軸方向右側に移動することでメインコンベア４０がＸ軸方向右側に移動し、上流側の装置から基板Ｗがメインコンベア４０上に搬入され、基板Ｗがメインコンベア４０上のＸ軸方向所定位置において、基板クランプユニット５０により保持される。その後、基板テーブル３０はＸ軸方向の基台１１中央部位置に戻る（Ｓ３０１）。そして、マスク７１下面の清掃が必要であれば（Ｓ３０２でＹｅｓ）、クリーナユニット６０による清掃を実施する（Ｓ３０３）。クリーナユニット６０による清掃を実施するか否かの判定は、例えば予め設定された基板Ｗの処理枚数と現在の処理枚数とを比較することにより判定してもよいし、作業者がマスク７１下面の状態を直接確認して作業者からの入力指示により行ってもよい。
【００４１】
マスク７１下面の清掃は、連結用ソレノイド６６を駆動することにより基板テーブル３０とクリーナユニット６０を連結状態とした上で、クリーナユニット６０を所定位置まで搬送させ、クリーナヘッドを上昇させてコットン紙６１をマスク７１下面に密着させた状態でクリーナユニット６０を基板テーブル３０と共にＹ軸方向後側に移動させることにより行われる。清掃完了後は、クリーナヘッドを下降させ、クリーナユニット６０をＹ軸方向に移動させて元の位置に至ったところで連結用ソレノイド６６を駆動させて連結状態を解除すると共にクリーナユニット６０を基台１１に対して固定する。
【００４２】
次に、マスク７１下面のフィデューシャルマークを撮像する必要があるか否かを判定し、マスク７１交換したとき、印刷枚数が所定枚数に達する毎等、撮像する必要がある場合には（Ｓ３０４でＹｅｓ）、基板テーブル３０をＸ軸方向及びＹ軸方向に移動させて、基板テーブルカメラ４９によりマスク７１下面のフィデューシャルマークを順次撮像する（Ｓ３０５）。引き続き、基板テーブル３０をＸ軸方向及びＹ軸方向に移動させて、基板撮像カメラ１８により基板Ｗのフィデューシャルマークを順次撮像する（Ｓ３０６）。
【００４３】
このようにしてマスク７１及び基板Ｗのフィデューシャルマークの位置情報をそれぞれ取得し、これらの位置情報に基づいてマスク７１下面のフィデューシャルマークと基板Ｗのフィデューシャルマークとを一致させるべく基板テーブル３０をＸ軸方向、Ｙ軸方向、及びＺ軸回りに移動させる。これと同時に、昇降テーブル３８及び載置テーブル４１も印刷位置に向けて上昇を開始し、マスク７１に対するＸ軸方向、Ｙ軸方向、及びＺ軸回りの位置合わせが完了した状態で、基板Ｗをマスク７１下面に密着させ、さらに基板クランプユニット５０の吸引孔５２によってマスク７１下面に吸着保持する（Ｓ３０７）。
【００４４】
次に、スキージヘッド８０の現在の位置に応じて一方のスキージ８１を選択的に下降させる（Ｓ３０８）。マスク７１上面にクリーム半田等のペーストを供給し、印刷荷重、移動速度を制御しつつ、スキージ８１をＹ軸方向片側に移動させることにより、マスク７１の供給孔を通じて基板Ｗ上面の所定の位置にペーストが印刷される（Ｓ３０９）。この後、基板クランプユニット５０の吸引孔５２によるマスク７１下面に対する吸着を解除し基板テーブル３０をＺ軸方向に基板搬送位置まで下降させると共に、Ｚ軸回り及びＹ軸方向の位置合わせのための僅かな移動分を元に戻して、Ｚ軸回り及びＹ軸方向の基板搬送位置とし、クランプ片５１による基板Ｗの保持を解除する。そして、印刷済の基板Ｗの枚数が目標印刷枚数に至っていない場合には（Ｓ３１２でＮｏ）、基板テーブル３０をＺ軸方向、Ｚ軸回り及びＹ軸方向の基板搬送位置に保ったまま、Ｘ軸方向左側に移動し、下流側の装置へ印刷済基板Ｗを搬出する。この搬出後、基板テーブル３０をＸ軸方向右側に移動して印刷前基板Ｗを上流側の装置から搬入し、基板Ｗをメインコンベア４０上の所定位置に保持した状態で、基板テーブル３０をＸ軸方向の基台１１中央部位置に戻す（Ｓ３１３）。そして、全ての基板群Ｗの印刷が完了するまでこの印刷プログラムを実行する。
【００４５】
以上のように本実施形態では、次の効果を奏することができる。
１．コンベア幅の調整作業が必要となるときに、基板テーブル３０をハンドル操作位置に移動させることができるから、操作ハンドル４７を手動操作しやすくなり、もって迅速にコンベア幅を調整することができる。
２．印刷処理が完了した基板Ｗの幅寸法と次に印刷すべき基板Ｗの幅寸法とが一致しない場合に、基板テーブル３０をＹ軸方向の基板搬送位置からＹ軸方向後側に、且つＺ軸方向の基板搬送位置からＺ軸方向上方に離間したハンドル操作位置に移動させ、コンベア幅調整モードに移行させることができる。
【００４６】
３．表示ユニット１１０に表示された操作ハンドル４７の操作情報に基づいて操作ハンドル４７を手動操作することができるから、作業者がコンベア幅の調整作業を正確かつ迅速に行うことができる。
４．コンベア幅の調整が必要な場合には、非常停止スイッチを押すことを促す表示がなされるので、作業者は非常停止スイッチを押すことで、全てのアクチュエータを停止させることができ、この全てのアクチュエータが停止した状態でハンドル操作を行うことができる。
【００４７】
５．回動規制機構４８により基板テーブル３０の動作中に振動等でボールねじ軸４５が回転しコンベア幅が変動することを防ぐことができるから、基板Ｗの脱落等を防ぐことができる。
６．基板テーブル３０をマスク７１寄りに設定されたハンドル操作位置に上昇させることができるから、クリーナユニット６０の上端部（クリーナヘッド）が邪魔となることがなくなり、コンベア幅を調整しやすくなる。
【００４８】
＜他の実施形態＞
本発明は上記記述及び図面によって説明した実施形態に限定されるものではなく、例えば次のような実施形態も本発明の技術的範囲に含まれる。
（１）本実施形態では、次に印刷すべき基板群Ｗの印刷プログラムに基づいて基板の幅寸法データを取得しているものの、本発明によると、作業者がキーボード等の入力手段によって基板の幅寸法データを入力してもよい。
（２）本実施形態では、比較手段により次に印刷すべき基板群Ｗの幅寸法データと印刷処理が完了した基板群Ｗの幅寸法データとを比較しているものの、本発明によると、作業者がこれらの幅寸法データの比較を行ってもよい。
【００４９】
（３）本実施形態では、ボールねじ軸４５とボールナット４６との螺合によるコンベア幅調整機構を例示しているものの、本発明によると、他の方法であってもよく、例えばラック＆ピニオン方式によるコンベア幅調整機構としてもよい。
（４）本実施形態では、幅寸法変更信号に基づいて表示ユニット１１０にコンベア幅の変更操作を促す情報を表示させているものの、本発明によれば、幅寸法変更信号の有無に関わらずコンベア幅検出プログラムが実施されたことを条件として、コンベア幅の変更操作を促す情報を表示させてもよい。
【００５０】
（５）本実施形態では、表示ユニット１１０に操作ハンドル４７の操作情報を表示させるものを例示しているものの、本発明によれば、必ずしも操作情報を表示させなくてもよい。例えば、コンベア幅調整機構にエンコーダを設けておき、操作ハンドル４７による可動コンベア４０ｃの移動量が所定の移動量に達したときに表示ユニット１１０に「操作完了」の表示をさせるようにしてもよい。
（６）本実施形態では、非常停止スイッチの入力があったことを条件としてコンベア幅の変更操作を促す情報を表示ユニット１１０に表示させているものの、本発明によれば、基板幅の幅寸法データが一致しないと判断されたときに（Ｓ１０４でＹｅｓ）、自動的に全てのアクチュエータを停止状態としコンベア幅の変更操作を促す情報を表示ユニット１１０に表示させてもよい。
【００５１】
（７）本実施形態では、ボールねじ軸４５の回動を規制する回動規制機構４８を設けたものを例示しているものの、本発明によれば、可動コンベア４０ｃの移動を規制するストッパ機構を可動コンベア４０ｃに設けてもよい。
（８）本実施の形態では、基板テーブル３０のハンドル操作位置として、Ｙ軸方向の基板搬送位置からＹ軸方向後側に、且つＺ軸方向の基板搬送位置からＺ軸方向上方に離間した位置を採用しているが、Ｚ軸方向においては基板搬送位置のままで、Ｙ軸方向の基板搬送位置からＹ軸方向後側に離間した位置をハンドル操作位置としてもよい。この場合にはクリーナユニット６０の後方に空きスペースが確保できるので、操作ハンドル４７へ容易に手を伸ばすことができる。また、Ｙ軸方向においては基板搬送位置のままで、Ｚ軸方向の基板搬送位置からＺ軸方向上側に、マスク７１下面より上の位置とはならない範囲で、Ｚ軸方向の基板搬送位置からＺ軸方向上側に離間した位置をハンドル操作位置としてもよい。この場合にはクリーナユニット６０の上端となるクリーナヘッドをハンドル操作の邪魔になりにくくすることができる。
（９）本実施形態では、本発明の基板搬送装置を印刷機１０に適用したものを例示しているものの、本発明によれば、表面実装機に適用してもよい。
【図面の簡単な説明】
【００５２】
【図１】スクリーン印刷機の正面図
【図２】コンベア幅を広めに調整したスクリーン印刷機の平面図
【図３】コンベア幅を狭めに調整したスクリーン印刷機の平面図
【図４】基板テーブルが基板搬送位置にある状態を示す側面図
【図５】基板テーブルがハンドル操作位置にある状態を示す側面図
【図６】スクリーン印刷機のブロック図
【図７】スクリーン印刷機の作用を示すフローチャート
【図８】そのコンベア幅検出プログラムの手順を示すフローチャート
【図９】その印刷動作プログラムの手順を示すフローチャート
【符号の説明】
【００５３】
１０…印刷機
３０…基板テーブル
４０…メインコンベア
４５…ボールねじ軸
４６…ボールナット
４７…操作ハンドル
４８…回動規制機構
６０…クリーナユニット（クリーニング装置）
７１…マスク
８０…スキージヘッド
１００…演算処理部
１１０…表示ユニット（表示装置）
【図１】
2008260212.tif 000003
【図２】
2008260212.tif 000004
【図３】
2008260212.tif 000005
【図４】
2008260212.tif 000006
【図５】
2008260212.tif 000007
【図６】
2008260212.tif 000008
【図７】
2008260212.tif 000009
【図８】
2008260212.tif 000010
【図９】
2008260212.tif 000011